(57)【要約】  【課題】  液体の大気中への飛散を確実に防止することができる液体飛散防止カバーを備えた噴霧機を提供する。  【解決手段】  噴霧機は、長手方向に複数個の噴口２を備えた噴管１を有している。また、噴管１は、液体飛散防止カバー３によって周囲を覆われている。この液体飛散防止カバー３は、機体に固定片４ａを介して連結する連結部材４と、噴管１を固定する固定部材５と、この固定部材５と連結部材４とに連結すると共に、噴管１の外側に設けられた枠部材６と、この枠部材６によって形成された開口を塞ぐ透明な樹脂板又は透明な樹脂シート７とを備えている。【選択図】図１
2014036616.tif 000002
【特許請求の範囲】
【請求項１】
車輪と、該車輪を駆動させる駆動装置とを有する機体を備え、ポンプより圧送される液体を噴霧する噴霧機において、該噴霧機は、長手方向に複数個の噴口を備えた噴管と、該噴管を覆う液体飛散防止カバーとを有するものであって、前記液体飛散防止カバーは、前記機体に連結する連結部材と、前記噴管を固定する固定部材と、該固定部材と前記連結部材とに連結すると共に、前記噴管の外側に設けられた枠部材と、該枠部材によって形成された開口を塞ぐ透明な樹脂板又は透明な樹脂シートとを備え、前記噴口の下流側に開口が形成されていることを特徴とする噴霧機。
【請求項２】
液体飛散防止カバーは、枠部材と透明な樹脂板又は透明な樹脂シートによってパネルが形成されるものであって、機体の進行方向側であって地面に対して垂直な方向を塞ぐ前面パネルと、噴口の上流側の天井面と前記機体の進行方向反対側の後面とを一体的に塞ぐ傾斜面パネルと、前記前面パネルと前記傾斜面パネルとの間に形成される両側面を塞ぐ左右の側面パネルとを有することを特徴とする請求項１に記載の噴霧機。
【請求項３】
傾斜面パネルは、回動部材によって、枠部材に対して開閉可能に設置されていることを特徴とする請求項２に記載の噴霧機。
【請求項４】
透明な樹脂板又は透明な樹脂シートは、枠部材に対して着脱可能に設置されていることを特徴とする請求項１〜３のいずれか１項に記載の噴霧機。
【請求項５】
一方の端部が枠部材の開口近傍に固定され、地面に対して略垂直下方に延長して他方の端部が自由端となっている延長部材が、透明な樹脂板又は透明な樹脂シートにて形成されていることを特徴とする請求項１〜４のいずれか１項に記載の噴霧機。
【請求項６】
延長部材は、枠部材の開口の半周以上に巻き付くように設置されていることを特徴とする請求項５に記載の噴霧機。
【請求項７】
噴管は、その長手方向が機体の進行方向に対して略９０度の角度を有するように設置され、噴口には、前記噴管の長手方向と平行となるようにスリットが形成されて、前記機体の進行方向に対して略９０度の角度を有する方向に膜状に噴霧されることを特徴とする請求項１〜６のいずれか１項の記載の噴霧機。
【発明の詳細な説明】
【技術分野】
【０００１】
本発明は、田畑等に薬液、液肥、水等の液体を噴霧する噴霧機に関するものであり、特に噴口から噴射される液体の大気中への飛散を防止する液体飛散防止カバーを備えた噴霧機に関するものである。
【背景技術】
【０００２】
従来から、車輪を備えた機体にポンプより圧送される液体を下向きに噴霧する噴霧機は農作業現場において使用されており、噴射される液体の大気中への飛散を防止する液体飛散防止カバーを備えた噴霧機に関する発明も知られている（特許文献１及び２）。
【先行技術文献】
【特許文献】
【０００３】
【特許文献１】特開平１１−５６２０１号公報
【特許文献２】特開２０１１−２５０７７７号公報
【発明の概要】
【発明が解決しようとする課題】
【０００４】
上記特許文献１に記載の発明は、茶畝において使用するものであることから、噴霧機の進行方向側のカバー端部が短くカットされ、カバー端部の下方に形成される開口が広くなっている。したがって、進行方向側の開口から液体が大気中へ飛散した場合には、風下で噴霧機の操縦を行っている作業者の顔に付着する可能性があることから、該作業者は頭や顔を帽子やフードやマスク等で防護する必要があった。
【０００５】
また、上記特許文献２に記載の発明は、飛散防止カバー内に集気管を設置し、不必要に散布された除草剤を回収し再利用する構成となっているが、この装置は複雑であることから、製造コストが嵩み、結果として従来の噴霧機よりも高価な噴霧機となっていた。
【０００６】
本発明は上記点に鑑み、トラクター等の駆動装置を備えた機体を利用し、コスト高とならない簡易な構成で噴霧を行うことができ、且つ液体の大気中への飛散を確実に防止することができる液体飛散防止カバーを備えた噴霧機を提供することを目的とする。
【課題を解決するための手段】
【０００７】
請求項１の発明では、車輪と、該車輪を駆動させる駆動装置とを有する機体を備え、ポンプより圧送される液体を噴霧する噴霧機において、該噴霧機は、長手方向に複数個の噴口を備えた噴管と、該噴管を覆う液体飛散防止カバーとを有するものであって、前記液体飛散防止カバーは、前記機体に連結する連結部材と、前記噴管を固定する固定部材と、該固定部材と前記連結部材とに連結すると共に、前記噴管の外側に設けられた枠部材と、該枠部材によって形成された開口を塞ぐ透明な樹脂板又は透明な樹脂シートとを備え、前記噴口の下流側に開口が形成されていることを特徴としている。したがって、噴口の下流側に形成された開口からカバー内に液体を散布する作物や草を取り込むことができる。また、透明な樹脂板又は透明な樹脂シートに液体が付着しているのを外部から容易に確認することができるので、噴管や噴口に目詰まりが発生した場合や散布する液体が無くなった場合でも直ぐに発見して対処することができる。
【０００８】
請求項２の発明では、請求項１の発明において、液体飛散防止カバーは、枠部材と透明な樹脂板又は透明な樹脂シートによってパネルが形成されるものであって、機体の進行方向側であって地面に対して垂直な方向を塞ぐ前面パネルと、噴口の上流側の天井面と前記機体の進行方向反対側の後面とを一体的に塞ぐ傾斜面パネルと、前記前面パネルと前記傾斜面パネルとの間に形成される両側面を塞ぐ左右の側面パネルとを有することを特徴としている。傾斜面パネルによって、噴口の真下から機体の進行方向の反対側に向けて広い空間が形成されるので、対象となる作物や草への液体の付着を確実に行うことができる。また、液体飛散防止カバーに付着する液体を最小限に抑えることができるので、散布する農薬等の液体を節約することができる。
【０００９】
請求項３の発明では、請求項２の発明において、傾斜面パネルは、回動部材によって、枠部材に対して開閉可能に設置されていることを特徴としている。したがって、回動部材によって傾斜面パネルを開閉することができるので、噴管や噴口に目詰まりが発生した場合の修理交換作業を容易に行うことができる。
【００１０】
請求項４の発明では、請求項１〜３のいずれかの発明において、透明な樹脂板又は透明な樹脂シートは、枠部材に対して着脱可能に設置されていることを特徴としている。したがって、透明な樹脂板又は透明な樹脂シートが汚れた場合や破損した場合の修理や清掃、交換作業等を容易に行うことができる。
【００１１】
請求項５の発明では、請求項１〜４のいずれかの発明において、一方の端部が枠部材の開口近傍に固定され、地面に対して略垂直下方に延長して他方の端部が自由端となっている延長部材が、透明な樹脂板又は透明な樹脂シートにて形成されていることを特徴としている。延長部材によって、大気中への液体の飛散を確実に低減させることができると共に、延長部材を透明な樹脂板又は透明な樹脂シートで形成したことによって、液体が付着しているのを外部から容易に確認することができるので、噴管や噴口に目詰まりが発生した場合や散布する液体が無くなった場合でも直ぐに発見して対処することができる。
【００１２】
請求項６の発明では、請求項５の発明において、延長部材は、枠部材の開口の半周以上に巻き付くように設置されていることを特徴としている。このように構成することによって、延長部材を進行方向に対して前後方向に揺動可能な状態で設置した場合と比較して、液体の大気中への飛散を抑えることができる。
【００１３】
請求項７の発明では、請求項１〜６のいずれかの発明において、噴管は、その長手方向が機体の進行方向に対して略９０度の角度を有するように設置され、噴口には、前記噴管の長手方向と平行となるようにスリットが形成されて、前記機体の進行方向に対して略９０度の角度を有する方向に膜状に噴霧されることを特徴としている。このように構成することによって、液体が対象となる作物や草等に確実に付着すると共に、液体の大気中への飛散を確実に低減させることができる。
【発明の効果】
【００１４】
請求項１の発明では、噴管や噴口に目詰まりが発生した場合や散布する液体が無くなった場合でも直ぐに発見して対処することができる。また、請求項２の発明では、対象となる作物や草への液体の付着を確実に行うことができると共に、散布する農薬等の液体を節約することができる。また、請求項３の発明では、噴管や噴口に目詰まりが発生した場合の修理交換作業を容易に行うことができる。また、請求項４の発明では、透明な樹脂板又は透明な樹脂シートが汚れた場合や破損した場合の修理や清掃、交換作業等を容易に行うことができる。また、請求項５の発明では、噴管や噴口に目詰まりが発生した場合や散布する液体が無くなった場合でも直ぐに発見して対処することができる。また、請求項６の発明では、液体の大気中への飛散を抑えることができる。さらに、請求項７の発明では、液体が対象となる作物や草等に確実に付着すると共に、液体の大気中への飛散を確実に低減させることができる。
【図面の簡単な説明】
【００１５】
【図１】本発明に係る噴霧機の液体飛散防止カバー部分を示す斜視図。
【図２】同正面図。
【図３】同背面図。
【図４】同右側面図。
【図５】同左側面図。
【図６】同平面図。
【図７】同底面図。
【図８】傾斜面パネルが開いた状態を示す説明図。
【図９】噴口から噴射される液体の散布方向を示す説明図。
【図１０】本発明に係る噴霧機の全体を示す斜視図。
【発明を実施するための形態】
【００１６】
次に、本発明の実施形態を図面に基づいて説明する。図１は、本発明に係る噴霧機の液体飛散防止カバー部分を示す斜視図である。この図に示すように、噴霧機は、長手方向に複数個の噴口２を備えた噴管１を有している。また、噴管１は、液体飛散防止カバー３によって周囲を覆われている。この液体飛散防止カバー３は、後述する車輪と、この車輪を駆動させる駆動装置とを有する機体に固定片４ａを介して連結する連結部材４と、噴管１を固定する固定部材５と、この固定部材５と連結部材４とに連結すると共に、噴管１の外側に設けられた枠部材６と、この枠部材６によって形成された開口を塞ぐ透明な樹脂板又は透明な樹脂シート７とを備えている。ここで、透明な樹脂板又は透明な樹脂シート７は、枠部材６に対して着脱可能に設置されている。したがって、透明な樹脂板又は透明な樹脂シート７が汚れた場合や破損した場合の修理や清掃、交換作業等を容易に行うことができる。
【００１７】
そして、液体飛散防止カバー３は、噴口２の下流側に開口８が形成されている。したがって、噴口２の下流側に形成された開口８から液体飛散防止カバー３内に液体を散布する作物や草を取り込むことができる。また、透明な樹脂板又は透明な樹脂シート７に液体が付着しているのを外部から容易に確認することができるので、噴管１や噴口２に目詰まりが発生した場合や散布する液体が無くなった場合でも直ぐに発見して対処することができる。
【００１８】
図２は、本発明に係る噴霧機の液体飛散防止カバー部分を示す正面図であり、図３は、背面図、図４は、右側面図、図５は、左側面図、図６は、平面図、図７は、底面図である。これらの図に示すように、液体飛散防止カバー３は、枠部材６、９ａ、９ｂ、９ｃと、透明な樹脂板又は透明な樹脂シート７によってパネルが形成されるものであって、機体の進行方向側であって地面に対して垂直な方向を塞ぐ前面パネル９と、噴口２の上流側の天井面と前記機体の進行方向反対側の後面とを一体的に塞ぐ傾斜面パネル１１と、前面パネル９と傾斜面パネル１１との間に形成される両側面を塞ぐ左右の側面パネル１０、１０を備えている。
【００１９】
傾斜面パネル１１によって、噴口２の真下から機体の進行方向とは反対側の方向に向けて広い空間が形成されるので、対象となる作物や草への液体の付着を確実に行うことができる。また、液体飛散防止カバー３に付着する液体を最小限に抑えることができるので、散布する農薬等の液体を節約することができる。
【００２０】
図４及び図５に示すように、液体飛散防止カバー３は、一方の端部が枠部材６の開口８近傍に固定され、地面に対して略垂直下方に延長して他方の端部が自由端となっている延長部材７ａ、７ｂが、透明な樹脂板又は透明な樹脂シートにて形成されている。したがって、延長部材７ａ、７ｂによって、大気中への液体の飛散を確実に低減させることができると共に、延長部材７ａ、７ｂを透明な樹脂板又は透明な樹脂シートで形成したことによって、液体が付着しているのを外部から容易に確認することができるので、噴管１や噴口２に目詰まりが発生した場合や散布する液体が無くなった場合でも直ぐに発見して対処することができる。
【００２１】
また、延長部材７ａは、枠部材６の開口８の半周以上に巻き付くように設置されている。このように構成することによって、延長部材７ａを進行方向に対して前後方向に揺動可能な状態で設置した場合と比較して、液体の大気中への飛散を抑えることができる。
【００２２】
図８は、傾斜面パネルが開いた状態を示す説明図である。この図に示すように、傾斜面パネル１１は、回動部材１２によって、傾斜面パネル１１以外のパネル９、１０に対して開閉可能に設置されている。そして、前面パネル９から延長している支持部材１３に支持片１４の一方の端部１４ｂを固定し、支持片１４の他方の端部１４ａを傾斜面パネル１１に固定することによって、傾斜面パネル１１の開いた状態が維持される構成となっている。尚、回動部材１２には蝶番等を使用すればよい。また、回動部材１２を傾斜面パネル１１の長手方向に複数設置することによって、開閉作業を容易に行うことができる。尚、図８に示す符号２３の部材は、機体に設置された液体タンクと噴管１とをつなぐ液体供給管である。
【００２３】
図９は、噴口２から噴射される液体の散布方向を示す説明図である。噴管１は、その長手方向が機体の進行方向Ｅに対して略９０度の角度を有するように設置され、噴口２には、噴管の長手方向と平行となるようにスリット２ａが形成されている。したがって、図９に示すように、機体の進行方向Ｅに対して略９０度の角度を有する方向Ｃに、液体Ａ及びＢは、膜状に噴霧されることとなる。このように構成することによって、液体が対象となる作物や草等に確実に付着すると共に、液体の大気中への飛散を確実に低減させることができる。また、機体の進行方向に平行な膜の幅Ｄを小さくすることができるので、透明な樹脂板又は透明な樹脂シートに付着する液体の量を抑えることができることから、使用する農薬等の液体を節約することができる。
【００２４】
図１０は、本発明に係る噴霧機の全体を示す斜視図である。この図に示すように、噴霧機２０は、車輪２１と、この車輪２１を駆動させる駆動装置（図示せず）を有する機体を備えており、タンク２４内に貯蔵されている液体を、ポンプ（図示せず）より液体供給管２３を介して液体飛散防止カバー３が設置されている噴管１へと圧送して、噴口２から液体を噴霧するものである。噴管１及び液体飛散防止カバー３は、機体後部に設けられた固定バー２２に固定片４ａを介して連結部材４が連結することにより、機体と一体化される。尚、噴口２を構成している開閉弁（図示せず）は、ポンプから所定の圧力が加わると開き、所定の圧力以下になると閉じる機能を有するものを使用するのが好ましい。上記開閉弁を使用することによって、液だれを防止し、不必要な場所に液体が散布されるのを防ぐことができる。
【００２５】
次に、本発明を構成する液体飛散防止カバーを使用した噴霧機と、使用しない噴霧機とを比較する実験を行った。実験結果を表１〜表４に示す。
【００２６】
表１及び表２は、トラクターの高速走行時（時速７〜８ｋｍ）の場合の実験結果であり、表１は液体飛散防止カバーを使用しない場合、表２は本発明に係る液体飛散防止カバーを使用した場合である。実験は、トラクターからの距離が１ｍ、３ｍ、５ｍの各位置で、地上１０ｃｍと、３０ｃｍの高さに感水紙を設置し、散布する液体は水を使用して行われた。表１に示すように、液体飛散防止カバーを使用しない噴霧機では、トラクターに近づくほど、液体の飛散量は多くなることが確認された。一方、表２に示すように、液体飛散防止カバーを使用した噴霧機では、トラクターからの距離が１ｍ以上では液体の飛散が確認されなかった。
【００２７】
【表１】
2014036616.tif 000003
【００２８】
【表２】
2014036616.tif 000004
【００２９】
表３及び表４は、トラクターの低速走行時（時速２〜３ｋｍ）の場合の実験結果であり、表３は液体飛散防止カバーを使用しない場合、表４は本発明に係る液体飛散防止カバーを使用した場合である。実験は、トラクターからの距離が１ｍ、３ｍ、５ｍの各位置で、地上１０ｃｍと、３０ｃｍの高さに感水紙を設置し、散布する液体は水を使用して行われた。表３に示すように、液体飛散防止カバーを使用しない噴霧機では、トラクターに近づくほど、液体の飛散量は多くなることが確認された。一方、表４に示すように、液体飛散防止カバーを使用した噴霧機では、トラクターからの距離が近づくほど、液体の飛散量は多くなったが、液体飛散防止カバーを使用しない場合と比較して、飛散量は少なくなっていることが確認された。
【００３０】
【表３】
2014036616.tif 000005
【００３１】
【表４】
2014036616.tif 000006
【００３２】
また、表４の（なし）で示している結果は、本発明の請求項６に対応するように、延長部材を枠部材の開口の半周以上に巻き付くように設置した場合である。この場合においては、低速走行時においても、延長部材を進行方向に対して前後方向に揺動可能な状態で設置した場合と比較して、液体の大気中への飛散を抑えることができることが確認され、トラクターからの距離が１ｍ以上では液体の飛散は確認されなかった。
【産業上の利用可能性】
【００３３】
本発明の噴霧機は、田畑等に薬液、液肥、水等の液体を噴霧する時に使用され、噴口から噴射される液体の大気中への飛散を防止するために役立つものである。
【符号の説明】
【００３４】
１  噴管
２  噴口
３  液体飛散防止カバー
４  連結部材
５  固定部材
６  枠部材
７  透明な樹脂板又は透明な樹脂シート
８  開口
９  前面パネル
１０  側面パネル
１１  傾斜面パネル
１２  回動部材
【図１】
2014036616.tif 000007
【図２】
2014036616.tif 000008
【図３】
2014036616.tif 000009
【図４】
2014036616.tif 000010
【図５】
2014036616.tif 000011
【図６】
2014036616.tif 000012
【図７】
2014036616.tif 000013
【図８】
2014036616.tif 000014
【図９】
2014036616.tif 000015
【図１０】
2014036616.tif 000016